(57)【特許請求の範囲】
【請求項１】
透明で矩形盆状の樹脂シートからなり、外周縁部において少なくとも内方に向かって突出するフランジ部を有する保護シートと、
全体が矩形枠状で、背面にシール部を有し、前面において前記保護シートのフランジ部を包み込むようにして前記保護シートの外周縁部に装着されるゴム製のパッキンとを備え、
前記パッキンにおける前記フランジ部を包み込む部位と前記保護シートとの間が当該ゴム製のパッキンによりシールされている耐環境保護カバー。
【請求項２】
取付パネルに形成した開口に電子機器の背部を挿入し、該電子機器の前部の外周縁部に前記取付パネルの開口縁部をパッキンを介して押し付けて前記電子機器を前記取付パネルに取り付ける電子機器の取付構造において、
透明で矩形盆状の樹脂シートからなり前記外周縁部において少なくとも内方に向かって突出するフランジ部を有する保護シートと、全体が矩形枠状で背面にシール部を有し前面において前記保護シートのフランジ部を包み込むようにして前記保護シートの外周縁部に装着されるゴム製のパッキンとを備え、前記パッキンにおける前記フランジ部を包み込む部位と前記保護シートとの間が当該ゴム製のパッキンによりシールされている耐環境保護カバーにより前記電子機器の前面を覆い、
前記保護シートのフランジ部および前記パッキンを、前記電子機器の前部の外周縁部と前記取付パネルの開口縁部との間で挟み付けたことを特徴とする耐環境保護カバーの取付構造。
【請求項３】
請求項１において、前記フランジ部には、前記パッキンとの間に粘着剤が介挿されている耐環境保護カバー。
【請求項４】
請求項２において、前記フランジ部には、前記パッキンとの間に粘着剤が介挿されている耐環境保護カバーの取付構造。
【請求項５】
電子機器の耐環境保護カバーであって、
透明で矩形盆状の樹脂シートからなり、外周縁部において内方または外方の少なくとも一方に向かって突出するフランジ部を有する保護シートと、
全体が矩形枠状で、背面にシール部を有し、前面において前記保護シートのフランジ部を包み込むようにして前記保護シートの外周縁部に装着されるゴム製のパッキンとを備え、
前記パッキンにおける前記フランジ部を包み込む部位と前記保護シートとの間が当該ゴム製のパッキンによりシールされ、
該パッキンは、内方に突出して保護シートに対向する内周部を有し、該内周部と前記保護シートとの間に電子機器の前部の外周縁部が入り込む空間が形成されている耐環境保護カバー。
【請求項６】
取付パネルに形成した開口に電子機器の背部を挿入し、該電子機器の前部の外周縁部に前記取付パネルの開口縁部をパッキンを介して押し付けて前記電子機器を前記取付パネルに取り付ける電子機器の取付構造において、
透明で矩形盆状の樹脂シートからなり前記外周縁部において内方または外方の少なくとも一方に向かって突出するフランジ部を有する保護シートと、全体が矩形枠状で背面にシール部を有し前面において前記保護シートのフランジ部を包み込むようにして前記保護シートの外周縁部に装着されると共に内方に突出して保護シートに対向する内周部を有するゴム製のパッキンとを備え、前記パッキンにおける前記フランジ部を包み込む部位と前記保護シートとの間が当該ゴム製のパッキンによりシールされている耐環境保護カバーにより前記電子機器の前面を覆い、
前記パッキンの内周部を、前記電子機器の外周縁部と前記取付パネルの開口縁部との間で挟み付けたことを特徴とする耐環境保護カバーの取付構造。
【請求項７】
請求項１，３もしくは５において、前記フランジ部は、前記保護シートの外周縁部が折り返されて形成されている耐環境保護カバー。
【請求項８】
請求項２，４もしくは６において、前記フランジ部は、前記保護シートの外周縁部が折り返されて形成されている耐環境保護カバーの取付構造。
【発明の詳細な説明】
【０００１】
【産業上の利用分野】
本発明は、表示画面や操作部を備えたディスプレイや、カウンタ、メータ、タイマなどの電子機器の耐環境保護カバーおよびその取付構造に関するものである。
【０００２】
【従来の技術】
従来より、工場などでは、作業指示や生産情報を表示する手段として、取付パネルに液晶ディスプレイなどを備えた表示機器としての電子機器を取り付けている。かかる電子機器は、湿気や油を含んだ悪環境下に曝される場合があり、そのため、耐環境保護カバーで保護することがある。ここで、耐環境保護カバーを両面テープやマグネットで取り付けたものもあるが、こうした取付構造では、十分な防塵効果や防滴効果が得られない。そこで、従来より、図８に示すような耐環境保護カバーが知られている。
図８において、取付パネル２に形成した開口２１には、ディスプレイを備えた電子機器１の背部１２が挿入されている。該電子機器１は、ボルト６および取付金具７により、電子機器１の前部１１の外周縁部１１ａが前記取付パネル２の開口縁部２２に係合していることで、電子機器１が取付パネル２に取り付けられている。
該従来の耐環境保護カバーは、透明フィルム４Ｂで電子機器１の前面を覆っており、画面が見易く、かつ、タッチパネル式の電子機器１でも押しボタンをフィルム４Ｂ上から押下できる。また、２本のゴムパッキン５Ａ，５Ｂでシールしているので、防塵や防水効果が高く、更には、ステンレスで枠体６０を形成しているので、大型のディスプレイに用いても耐環境保護カバーの形状が崩れにくいという利点を有する。
【０００３】
【発明が解決しようとする課題】
しかし、該従来技術では、フィルム４Ｂとは別の複数枚のステンレス板６１，６２，６３をビス６４で互いに締結して枠体６０を形成しているうえ、枠体６０とフィルム４Ｂおよび取付パネル２の間をシールしているので、パッキン５Ａ，５Ｂが２本必要になる。したがって、部品点数が多く、高価になる。また、部品点数が多いことから、組立性が悪いうえ、大型になる。
【０００４】
本発明は、前記従来の問題に鑑みてなされたもので、部品点数を少なくして、安価で、組立性が良く、かつ、大型化しない耐環境保護カバーおよびその取付構造を提供することを目的とする。
【０００５】
【課題を解決するための手段および作用】
前記目的を達成するために、請求項１の耐環境保護カバーは、透明で矩形盆状の樹脂シートからなり、外周縁部において少なくとも内方に向かって突出するフランジ部を有する保護シートと、全体が矩形枠状で、背面にシール部を有し、前面において保護シートのフランジ部を包み込むようにして保護シートの外周縁部に装着されるゴム製のパッキンとを備え、前記パッキンにおける前記フランジ部を包み込む部位と前記保護シートとの間が当該ゴム製のパッキンによりシールされている。
なお、本明細書において、「シール」とは、ある程度まで水密性および気密性を保って、防滴性や防塵性を発揮することをいう。
【０００６】
また、請求項２の耐環境保護カバーの取付構造は、取付パネルに形成した開口に電子機器の背部を挿入し、該電子機器の前部の外周縁部を取付パネルの開口縁部に係合させることで電子機器を取付パネルに取り付ける電子機器の取付構造に適用される。該耐環境保護カバーの取付構造は、請求項１の耐環境保護カバーにより電子機器の前面を覆い、保護シートのフランジ部およびパッキンを電子機器の前部の外周縁部と取付パネルの開口縁部との間で挟み付けたことを特徴としている。
【０００７】
これらの発明では、保護シートの外周縁部に少なくとも内方に向かって突出するフランジ部を形成し、パッキンが前記フランジ部を包み込むようにして装着されているので、前記内方に突出したフランジ部とパッキンを、電子機器の前部の外周縁部と取付パネルの開口縁部との間で挟み付けることができる。しかも、フランジ部の両側面がパッキンに密着するので、保護シートとパッキンとの間も十分にシールされるから、高いシール効果が得られる。
ここで、これらの発明によれば、透明の保護シートにパッキンを装着するフランジ部を形成しており、別途金属板を用いて枠体を形成していないので、部品点数が少なくなる。
【０００８】
請求項５の耐環境保護カバーは、透明で矩形盆状の樹脂シートからなり、外周縁部において内方または外方の少なくとも一方に向かって突出するフランジ部を有する保護シートと、全体が矩形枠状で、背面にシール部を有し、前面において保護シートのフランジ部を包み込むようにして保護シートの外周縁部に装着されるゴム製のパッキンとを備え、前記パッキンにおける前記フランジ部を包み込む部位と前記保護シートとの間が当該ゴム製のパッキンによりシールされている。前記パッキンは、内方に突出して保護シートに対向する内周部を有し、該内周部と前記保護シートとの間には、電子機器の前部の外周縁部が入り込む空間が形成されている。
【０００９】
また、請求項６の耐環境保護カバーの取付構造は、請求項２と同様の電子機器の取付構造に適用される。該耐環境保護カバーの取付構造は、請求項５の耐環境保護カバーにより電子機器の前面を覆い、パッキンの内周部を、電子機器の外周縁部と取付パネルの開口縁部との間で挟み付けたことを特徴としている。
【００１０】
これらの発明では、パッキンに、内方に突出する内周部を形成しているから、該パッキンの内周部を、電子機器の前部の外周縁部と取付パネルの開口縁部との間で挟み付けることができる。したがって、高いシール効果が得られる。
ここで、これらの発明によれば、透明の樹脂シートにパッキンを装着するフランジ部を形成しており、別途金属板を用いて枠体を形成していないので、部品点数が少なくなる。
【００１１】
【実施例】
以下、本発明の実施例を図面にしたがって説明する。
図１ないし図５は第１実施例を示す。
図１において、ディスプレイを備えた電子機器１は、二点鎖線で示すように、全体が偏平な略直方体形状で、表示画面を備えた前部１１が、背部１２よりも四方に若干突出している。前記電子機器１の背部１２は、取付パネル２の開口２１に、図２のように挿入される。前記取付パネル２の開口２１は、電子機器１の背部１２よりも若干大きく、かつ、電子機器１の前部１１よりも若干小さく形成してある。なお、前記電子機器１は、表示画面の他に図示しない押しボタンを前面１３に備えている。
【００１２】
図１の前記電子機器１の前部１１には、耐環境保護カバー３が装着される。該耐環境保護カバー３は、透明・軟質で矩形の樹脂シートからなる保護シート４と、全体が矩形枠状のゴム製パッキン５とで構成されている。なお、前記保護シート４は、たとえば、０．３ｍｍ程度の肉厚のポリエステルで形成されている。
【００１３】
図３（ａ）に示すように、前記保護シート４は、外周縁部４０の近傍において、装着方向Ｄに曲成されて盆状に形成されていると共に、外周縁部４０に、前記パッキン５を装着するフランジ部４１を有している。前記保護シート４は、前記外周縁部４０を除く中央部分４２が、図２に示すように、電子機器１の前面１３に沿った形状になっており、電子機器１の前面１３を覆っている。
【００１４】
図１の前記保護シート４における４つのコーナ部４３を除く４つの辺部４４のフランジ部４１は、図３（ａ）のように形成されている。すなわち、辺部４４のフランジ部４１は、保護シート４の深さ方向（装着方向）Ｄの端部４５から外方へ折曲されて若干外方へ突出していると共に、最外部において内方へ折り返され、さらに、折返部４６が内方へ向かって突出している。
【００１５】
一方、図１のコーナ部４３のフランジ部４１は、図３（ｂ）および図４（ａ）のように形成されている。すなわち、コーナ部４３においては、保護シート４の折り返しを可能にすると共に、折返部４６，４６同士が互いに干渉しないように、図４（ｂ）のように、樹脂シート４Ａが打ち抜いてある。該樹脂シート４Ａを一点鎖線Ｌ１の位置で折り返すことにより、図３（ｂ）のように、コーナ部４３のフランジ部４１が形成され、該フランジ部４１の折返部４６，４６がコーナ部４３において互いに不連続となっている。なお、図２に示すように、フランジ部４１と、パッキン５との間には、粘着剤８が介挿されている。
【００１６】
前記パッキン５は、背面５０に第１および第２のシール部５１，５２を形成している。これらのシール部５１，５２は、取付パネル２の開口縁部２２に押し付けられて、取付パネル２とパッキン５との間に水滴や油滴、粉塵が入り込むのを防止する。なお、第１のシール部５１は、斜め外方に帯状に突出しており、第２のシール部５２よりも外側に設けられている。一方、第２のシール部５２は、断面が半円状の突条になっている。
【００１７】
前記パッキン５は、前面５３に、装着部５４を形成している。該装着部５４は、断面がＴ字型の溝を形成して、保護シート４のフランジ部４１を包み込んでおり、これにより、パッキン５が保護シート４の外周縁部４０に装着されている。前記装着部５４の内周部５４ａと保護シート４との間には、電子機器１の前部１１の外周縁部１１ａが入り込む空間Ｓが形成されている。
【００１８】
前記保護シート４のフランジ部４１の折返部４６と、パッキン５の装着部５４の内周部５４ａは、次に説明するように、ボルト６の締付力により、電子機器１の前部１１の外周縁部１１ａと、取付パネル２の開口縁部２２との間に挟み付けられている。
【００１９】
前記ボルト６は、電子機器１の背部１２にねじ込まれており、取付パネル２の背面に当接する取付金具７を介して、電子機器１を取付パネル２に当接させる。これにより、電子機器１の外周縁部１１ａが耐環境保護カバー３を介して、取付パネル２の開口縁部２２に係合して、電子機器１が取付パネル２に固定されると共に、パッキン５によるシールがなされている。
【００２０】
パッキン５には、電子機器１の外周縁部１１ａで押圧されたときに、パッキン５が外方に逃げるのを防止するための、逃げ防止突条５６が形成されている。なお、該逃げ防止突条５６は、図５に示すように、パッキン５の各辺部５７に沿って各辺部５７の長さの１／３程度設けられている。
【００２１】
つぎに、電子機器１の取付方法について説明する。
まず、図３（ａ）のパッキン５の装着部５４を広げた後に保護シート４のフランジ部４１に装着する。この後、耐環境保護カバー３を、樹脂およびゴムの弾性を利用して、図１の電子機器１の前部１１に装着する。該装着後、電子機器１の背部１２を、図２のように、取付パネル２の開口２１に挿入し、取付金具７を取付パネル２の背面に当接させて、ボルト６を電子機器１にねじ込む。これにより、電子機器１が取付パネル２に固定されると共に、前記ボルト６の締付力によって、パッキン５が取付パネル２と電子機器１との間をシールする。
【００２２】
前記構成において、該耐環境保護カバー３は、保護シート４の外周縁部４０を内方に突出させてフランジ部４１を形成し、該内方に突出したフランジ部４１をパッキン５で包み込んでいるから、電子機器１の外周縁部１１ａと取付パネル２の開口縁部２２とで、保護シート４およびパッキン５を挟み付けることができる。したがって、両面テープやマグネットでカバーを取り付けたものと異なり、十分なシール（防塵・防滴）効果が得られる。
【００２３】
ここで、該耐環境保護カバー３は、樹脂からなる保護シート４にパッキン５を装着するフランジ部４１を形成しており、別途ステンレス板を用いて枠体を形成していない。したがって、別途枠体を設ける必要がないうえ、枠体との間をシールするパッキンも不必要になるから、部品点数が著しく減少して、組立性が向上すると共に、耐環境保護カバー３が安価なものとなる。
【００２４】
また、本実施例では、フランジ部４１および装着部５４の溝をＴ字状に形成して、保護シート４にパッキン５を装着しているので、パッキン５が保護シート４から外れにくい。そのため、保護シート４とパッキン５とを接着する必要がないから、両者の材質を自由に選択することができる。したがって、保護シート４をたとえばポリエステルで構成できるから、保護シート４を薄肉にすることで、保護シート４の上から電子機器１の押ボタンなどを押すことができると共に、大型であっても、耐環境保護カバー３の形状が崩れることもない。また、保護シート４の透明度が高いので画面も見易い
【００２５】
なお、本実施例のように、フランジ部４１とパッキン５との間に粘着剤８を介挿させれば、パッキン５が保護シート４から外れにくくなるので好ましい。
【００２６】
さらに、本実施例のように、保護シート４の外周縁部４０を折り返してフランジ部４１を形成すれば、フランジ部４１の強度が大きくなるから、耐環境保護カバー３の形状が崩れにくいという利点も有する。
なお、本実施例では、図４のコーナ部４３の折返部４６，４６同士が互いに不連続となっているので、コーナ部４３においてフランジ部４１を曲げ易いから、耐環境保護カバー３を電子機器１に装着し易い。
【００２７】
図６は、第１実施例にかかるフランジ部４１の変形例を示す。
図６（ａ）に示すフランジ部４１は、深さ方向Ｄの端部４５から内方へ折曲されて若干内方へ突出していると共に、外方へ折り返されて、折返部４６が外方に向かって突出している。
【００２８】
図６（ｂ）に示すフランジ部４１は、深さ方向Ｄの端部４５から外方へ折曲されて若干外方へ突出しており、保護シート４と同じ材質の補強部４７が、保護シート４に接着ないし溶着されて構成されている。
【００２９】
図６（ｃ）に示すフランジ部４１は、深さ方向Ｄの端部４５から内方へ折曲されて若干内方に突出して、Ｌ字状に形成されている。なお、図６（ｃ）の変形例では、パッキン５の装着部５４の溝もＬ字状に形成してある。
【００３０】
図７は第２実施例を示す。
本第２実施例では、保護シート４を深さ方向Ｄの端部４５から外方に向かって折曲して、外方にのみ突出するフランジ部４１を形成している。一方、パッキン５は、前記フランジ部４１を包み込むＬ字状の溝を備えた装着部５４を形成していると共に、内方に突出して保護シート４に対向する内周部５５を有している。該内周部５５と前記保護シート４との間には、電子機器１の前部１１の外周縁部１１ａが入り込む空間Ｓが形成されている。前記内周部５５は、前記空間Ｓに入り込んだ電子機器１の外周縁部１１ａと、取付パネル２の開口縁部２２との間で挟み付けられている。なお、本実施例では、電子機器１の外周縁部１１ａと取付パネル２との間に、保護シート４が挟み付けられていないので、保護シート４のフランジ部４１をパッキン５に接着剤９で接着して、保護シート４とパッキン５との間をシールすると共に、パッキン５が保護シート４から外れにくくするのが好ましい。その他の構成は前記第１実施例と同様であり、同一部分または相当部分に同一符号を付して、その説明および詳しい図示を省略する。
【００３１】
前記各実施例では、電子機器１の取付構造に適用される例について説明したが、本発明はディスプレイの他に、カウンタ、メータ、タイマなどの電子機器の取付構造に適用し得る。
【００３２】
また、保護シート４およびパッキン５の材質は、前記実施例に限定されるものではなく、使用する工場等の環境に応じて種々の材質が選択される。また、パッキン５のシール部５１，５２の形状も任意に設定することができる。さらに、本発明に用いる樹脂シートの透明度は電子機器の表面を視認できる程度であればよく、完全に透明である必要はない。また、本発明における盆状とは、外周縁部４０において、保護シート４が装着方向Ｄに曲成されていればよく、保護シート４の中央部分４２の形状を限定するものではない。
【００３３】
【発明の効果】
以上説明したように、本発明によれば、樹脂シートからなる保護シートの外周縁部にフランジ部を形成し、該フランジ部にパッキンを装着しているから、部品点数が少なくなって安価になるうえ、組立性が向上し、さらには、耐環境保護カバーを装着しても大型化しないという効果が得られる。
【００３４】
特に、請求項１，２の発明では、保護シートのフランジ部を内方に突出させて、該フランジ部をパッキンで包み込んでいるから、該部分を電子機器の外周縁部と取付パネルの開口縁部との間で挟み付けることにより、高いシール効果が得られる。また、ゴム製のパッキンと、保護シートを構成する樹脂とを接着する必要がないので、材質を自由に選択できるから、たとえば透明度が高く、かつ、耐薬品性や耐油性に優れた樹脂を用いることができる。
【図面の簡単な説明】
【図１】本発明の第１実施例を示す取付構造の概略分解斜視図である。
【図２】同取付構造の拡大縦断面図である。
【図３】耐環境保護カバーの要部を示す拡大断面図で、（ａ）は図４の  ＩＩＩａ−  ＩＩＩａ線における断面図、（ｂ）は図４の  ＩＩＩｂ−  ＩＩＩｂ線における断面図である。
【図４】（ａ）は保護シートのコーナ部の拡大斜視図、（ｂ）は成形前の樹脂シートの拡大斜視図である。
【図５】パッキンを断面で示す拡大斜視図である。
【図６】フランジ部の変形例を示す拡大断面図である。
【図７】第２実施例を示す取付構造の拡大縦断面図である。
【図８】従来例を示す取付構造の拡大縦断面図である。
【符号の説明】
１：電子機器
１１：前部
１１ａ：外周縁部
２：取付パネル
２１：開口
２２：開口縁部
３：耐環境保護カバー
４：保護シート
４０：外周縁部
４１：フランジ部
４６：折返部
５：パッキン
５０：前面
５３：背面
５１，５２：シール部
５５：内周部
８：粘着剤
【図１】
0003618818.tif 000002
【図２】
0003618818.tif 000003
【図３】
0003618818.tif 000004
【図４】
0003618818.tif 000005
【図５】
0003618818.tif 000006
【図６】
0003618818.tif 000007
【図７】
0003618818.tif 000008
【図８】
0003618818.tif 000009